(57)【要約】少なくとも１つの実施形態例は、ユーザ機器（ＵＥ）によって複数の無線アクセスの少なくとも１つを用いてデータを送信する方法を開示し、複数の無線アクセスは少なくとも第１の無線アクセス及び第２の無線アクセスを含む。方法は、第１及び第２の無線アクセスとの接続をそれぞれ確立すること、第１の無線アクセスを用いて単位データを送信する第１の消費電力を決定すること、第２の無線アクセスを用いてその単位データを送信する第２の消費電力を決定すること、決定された第１及び第２の消費電力に基づいて第１及び第２の無線アクセスにデータを割り当てること、並びにその割当てに基づいて第１及び第２の無線アクセスの少なくとも一方を用いてデータを送信することを含む。【選択図】図１
2017527164.tif 000002
【特許請求の範囲】
【請求項１】
ユーザ機器（ＵＥ）によって複数の無線アクセスのうちの少なくとも１つを用いてデータを送信する方法であって、前記複数の無線アクセスが少なくとも第１の無線アクセス及び第２の無線アクセスを含み、
前記第１及び第２の無線アクセスとの接続をそれぞれ確立するステップ（Ｓ２０５）、
前記第１の無線アクセスを用いて単位データを送信する第１の消費電力を決定するステップ（Ｓ２１０）、
前記第２の無線アクセスを用いて前記単位データを送信する第２の消費電力を決定するステップ（Ｓ２１５）、
決定された前記第１及び第２の消費電力に基づいて前記第１及び第２の無線アクセスにデータを割り当てるステップ（Ｓ２２０）であって、
前記第１の無線アクセスに対する第１のサポートデータ転送速度を決定すること、
前記第２の無線アクセスに対する第２のサポートデータ転送速度を決定すること、
前記第１の消費電力及び前記第２の消費電力に基づいて前記第１のサポートデータ転送速度及び前記第２のサポートデータ転送速度を重み付けすること、及び
重み付けされた前記第１のサポートデータ転送速度及び重み付けされた前記第２のサポートデータ転送速度に従って前記データを割り当てることを含む割り当てるステップ（Ｓ２２０）、並びに
前記割当てるステップに基づいて前記第１及び第２の無線アクセスの少なくとも一方を用いて前記データを送信するステップ（Ｓ２２５）
を備える方法。
【請求項２】
前記確立するステップ（Ｓ２０５）が、前記第１及び第２の無線アクセスに対する第１及び第２のインターネットプロトコル（ＩＰ）アドレスをそれぞれ取得することを含む、請求項１に記載の方法。
【請求項３】
前記第１及び第２のＩＰアドレスが異なる、請求項２に記載の方法。
【請求項４】
前記第１及び第２の無線アクセスが、異なるポート番号に対応付けられる、請求項２に記載の方法。
【請求項５】
前記確立するステップ（Ｓ２０５）が、前記第１及び第２の無線アクセスに対して第１及び第２の転送制御プロトコル（ＴＣＰ）サブフローをそれぞれ確立する、請求項１に記載の方法。
【請求項６】
前記割り当てるステップ（Ｓ２２０）が、前記第１の消費電力及び前記第２の消費電力についての関数に基づいて前記データを割り当てる、請求項１に記載の方法。
【請求項７】
前記割り当てるステップ（Ｓ２２０）が、前記第２の消費電力に対する前記第１の消費電力の割合に基づいて前記データを割り当てる、請求項６に記載の方法。
【請求項８】
前記割り当てるステップ（Ｓ２２０）が、前記第１の消費電力及び前記第２の消費電力についての前記関数並びに前記第１及び第２のサポートデータ転送速度に基づいて前記データを割り当てる、請求項６に記載の方法。
【請求項９】
複数の無線アクセスを用いて送信を制御する方法であって、前記複数の無線アクセスが少なくとも第１の無線アクセス及び第２の無線アクセスを含み、
信号をユーザ機器（ＵＥ）に送信するステップを備え、前記信号は、前記ＵＥが
前記第１の無線アクセスにおいて単位データを送信する第１の消費電力、前記第２の無線アクセスにおいてその単位データを送信する第２の消費電力、前記第１の無線アクセスに対して重み付けされた第１のサポートデータ転送速度、及び前記第２の無線アクセスに対して重み付けされた第２のサポートデータ転送速度に基づいて前記第１及び第２の無線アクセスにデータを割り当て（Ｓ２２０）、及び
前記割当てに基づいて前記第１及び第２の無線アクセスの少なくとも一方を用いて前記データを送信する（Ｓ２２５）ことを可能とする、方法。
【請求項１０】
ユーザ機器（ＵＥ）（１０５）であって、
電源（３６０）、
プロセッサ（３４０）であって、
少なくとも第１及び第２の無線アクセスとの接続をそれぞれ確立し、
前記第１の無線アクセスを用いて単位データを送信する第１の消費電力を前記電源から決定し、
前記第２の無線アクセスを用いて前記単位データを送信する第２の消費電力を前記電源から決定し、
決定された前記第１及び第２の消費電力に基づいて前記第１及び第２の無線アクセスにデータを割り当てるように構成され、前記第１及び第２の無線アクセスにデータを割り当てることが、
前記第１の無線アクセスに対する第１のサポートデータ転送速度を決定すること、
前記第２の無線アクセスに対する第２のサポートデータ転送速度を決定すること、
前記第１の消費電力及び前記第２の消費電力に基づいて前記第１のサポートデータ転送速度及び前記第２のサポートデータ転送速度を重み付けすること、及び
重み付けされた前記第１のサポートデータ転送速度及び重み付けされた前記第２のサポートデータ転送速度に従って前記データを割り当てることを含む、プロセッサ（３４０）、並びに
前記割当てに基づいて前記第１及び第２の無線アクセスの少なくとも一方を用いて前記データを送信するように構成された送信機（３１２）
を備えるユーザ機器（ＵＥ）。
【発明の詳細な説明】
【背景技術】
【０００１】
複数のアクセスオプション（例えば、ＬＴＥ及びＷｉｆｉ）の存在下におけるユーザ機器（ＵＥ）のバッテリ寿命の管理は、一般的に手動で行われる。バッテリ残量が低下していることにユーザが気付くと、ユーザはＷｉｆｉアクセスをオフに切り換える。ある場合には、バッテリ残量が閾値を下回ると、これが（Ｗｉｆｉアクセスのように）ＵＥの性能を無効にするアプリケーションによって自動化される。
【０００２】
インターネット技術タスクフォース（ＩＥＴＦ）によって指定されるようなマルチパスＴＣＰ（ＭＰＴＣＰ）プロトコル（ＲＦＣ６８２４）によって、送信側と受信側の間のマルチＩＰパスを利用するフローの逆多重化が可能となる。ＲＦＣ６８２４（「ＭＰＴＣＰ  ＲＦＣ」）の全コンテンツは、参照によりここに組み込まれる。
【０００３】
ＭＰＴＣＰは、アプリケーションとの単一のＴＣＰソケット接続に対して複数のＴＣＰサブフロー（例えば、ＬＴＥ及びＷｉｆｉ）を設定する。ＭＰＴＣＰは、ＴＣＰ輻輳制御／回避によって感知されるように、エンドツーエンド帯域により利用可能なサブフロー間のパケットを分割する。したがって、多少のパケットは、ＵＥとネットワークにおけるＭＰＴＣＰ互換性サーバとの間で感知されるエンドツーエンド帯域に基づいて、サブフローの１つに伝送され得る。サブフローは、アクセスオプションを行き来するにつれてアド又はドロップされることがあり、アプリケーション及びユーザの視点からシームレスな移動性を可能にする。
【０００４】
第３世代パートナーシッププロジェクト（３ＧＰＰ）はまた、Ｗｉｆｉなどの非３ＧＰＰアクセスに対する３ＧＰＰアクセスについてのアクセス選択制御も規定する。３ＧＰＰは、Ａｃｃｅｓｓ  Ｎｅｔｗｏｒｋ  Ｄｉｓｃｏｖｅｒｙ  ａｎｄ  Ｓｅｌｅｃｔｉｏｎ  ｆｕｎｃｔｉｏｎ（ＡＮＤＳＦ）に基づいてポリシーによる決定プロセスを指定した。ＡＮＤＳＦによってモバイルオペレータは、ＵＥがＷｉｆｉと３ＧＰＰアクセスの両方と同時に接続される場合に、フロー又はサービスがＷｉｆｉ又は３ＧＰＰアクセスのどちらを介して送信されるかを表すシステム間ルーティングポリシー（ＩＳＲＰ）を指定することができる。
【発明の概要】
【０００５】
ＭＰＴＣＰサブフローによるＴＣＰ輻輳制御の使用では、２つのアクセスに対する装置のバッテリ使用量を考慮しない。さらに、３ＧＰＰアクセス選択制御では、Ｗｉｆｉと３ＧＰＰの間のパケット毎の多重化はできず、バッテリ消費がフロー毎又はサービス毎にアクセスオプションを選択する基準として使用され得るメカニズムを指定しない。
【０００６】
これらの課題を解決するために、少なくとも１つの実施形態例は、ユーザ機器（ＵＥ）による複数の無線アクセスの少なくとも１つを用いてデータを送信する方法を開示し、複数の無線アクセスは少なくとも第１の無線アクセス及び第２の無線アクセスを含む。この方法は、第１及び第２の無線アクセスとの接続をそれぞれ確立するステップ、第１の無線アクセスを用いて単位データを送信する第１の消費電力を決定するステップ、第２の無線アクセスを用いてその単位データを送信する第２の消費電力を決定するステップ、決定された第１及び第２の消費電力に基づいて第１及び第２の無線アクセスにデータを割り当てるステップ、並びにその割当てに基づいて第１及び第２の無線アクセスの少なくとも一方を用いてデータを送信するステップを含む。
【０００７】
実施形態例では、確立するステップは、第１及び第２の無線アクセス対する第１及び第２のインターネットプロトコル（ＩＰ）アドレスをそれぞれ取得することを含む。
【０００８】
実施形態例では、第１と第２のＩＰアドレスが異なる。
【０００９】
実施形態例では、第１及び第２の無線アクセスは異なるポート番号に対応付けられる。
【００１０】
実施形態例では、確立するステップは、第１及び第２の無線アクセス対する第１及び第２の転送制御プロトコル（ＴＣＰ）サブフローをそれぞれ確立する。
【００１１】
実施形態例では、割り当てるステップは、第１の消費電力及び第２の消費電力についての関数に基づいてデータを割り当てる。
【００１２】
実施形態例では、割り当てるステップは、第２の消費電力に対する第１の消費電力の割合に基づいてデータを割り当てる。実施形態例では、割り当てるステップは、第１の無線アクセスに対する第１のサポートデータ転送速度を決定すること、及び第２の無線アクセスに対する第２のサポートデータ転送速度を決定することを含み、割り当てるステップは、第１の消費電力及び第２の消費電力についての関数、並びに第１及び第２のサポートデータ転送速度に基づく。
【００１３】
実施形態例では、送信するステップは、第１の無線アクセスに対する第１の送信データ転送速度及び第２の無線アクセスに対する第２の送信データ転送速度の少なくとも一方を調整することを含み、送信するステップは、調整された第１の送信データ転送速度及び第２の送信データ転送速度の少なくとも一方を用いてデータを送信する。
【００１４】
実施形態例では、送信するステップは、第１及び第２のサポートデータ転送速度の合計は閾値を下回るかを決定すること、第１の送信データ転送速度を用いて第１の無線アクセスに割り当てられたデータを送信することであって、第１の送信データ転送速度は第１及び第２のサポートデータ転送速度の合計が閾値を下回る場合には第１のサポートデータ転送速度であること、並びに第２の送信データ転送速度を用いて第２の無線アクセスに割り当てられたデータを送信することであって、第２の送信データ転送速度は第１及び第２のサポートデータ転送速度の合計が閾値を下回る場合には第２のサポートデータ転送速度であることを含む。
【００１５】
実施形態例では、割り当てるステップは、関数の出力が閾値を超えるかを決定することを含み、送信するステップは、関数の出力が閾値を超えているかに基づく。
【００１６】
実施形態例では、割り当てるステップは、関数の出力が閾値を超える場合には第１の無線アクセスを無効にすること、及びデータをすべて第２の無線アクセスに割り当てることを含む。
【００１７】
実施形態例では、送信するステップは、関数の出力が閾値を下回る場合には第１及び第２の無線アクセスを用いてデータを送信する。
【００１８】
少なくとも１つの実施形態例は、第１の無線アクセス及び第２の無線アクセスを少なくとも含む複数の無線アクセスを用いて送信を制御する方法を開示する。方法は、信号をユーザ機器（ＵＥ）に送信するステップを含み、ＵＥは第１及び第２の無線アクセスとの接続をそれぞれ確立するように構成され、信号はＵＥが、第１の無線アクセスにおいて単位データを送信する第１の消費電力を決定し、第２の無線アクセスにおいてその単位データを送信する第２の消費電力を決定し、決定された第１及び第２の電力に基づいて第１及び第２の無線アクセスにデータを割り当て、その割当てに基づいて第１及び第２の無線アクセスの少なくとも一方を用いてデータを送信するように指示する。
【００１９】
少なくとも１つの実施形態例は、第１の無線アクセス及び第２の無線アクセスを少なくとも含む複数の無線アクセスを用いて送信を制御する方法を開示する。方法は、信号をユーザ機器（ＵＥ）に送信するステップを含み、ＵＥは第１及び第２の無線アクセスとの接続をそれぞれ確立するように構成されており、信号によってＵＥが、第１の無線アクセスにおいて単位データを送信する第１の消費電力及び第２の無線アクセスにおいてその単位データを送信する第２の消費電力に基づいて、第１及び第２の無線アクセスにデータを割り当て、その割当てに基づいて第１及び第２の無線アクセスの少なくとも一方を用いてデータを送信することが可能となる。
【００２０】
少なくとも１つの実施形態例は、電源、少なくとも第１及び第２の無線アクセスとの接続をそれぞれ確立し、第１の無線アクセスを用いて単位データを送信する第１の消費電力を電源から決定し、第２の無線アクセスを用いてその単位データを送信する第２の消費電力を電源から決定し、決定された第１及び第２の消費電力に基づいて第１及び第２の無線アクセスにデータを割り当てるように構成されたプロセッサ、並びにその割当てに基づいて第１及び第２の無線アクセスの少なくとも一方を用いてデータを送信するように構成された送信機を含むユーザ機器（ＵＥ）を開示する。
【００２１】
実施形態例では、プロセッサは、第１及び第２の無線アクセスに対して第１及び第２のインターネットプロトコル（ＩＰ）アドレスをそれぞれ確立するように構成される。
【００２２】
実施形態例では、第１と第２のＩＰアドレスが異なる。
【００２３】
実施形態例では、第１と第２の無線アクセスは異なるポート番号に対応付けられる。
【００２４】
実施形態例では、プロセッサは、第１及び第２の無線アクセスに対して第１及び第２の転送制御プロトコル（ＴＣＰ）サブフローをそれぞれ確立するように構成される。
【００２５】
実施形態例では、プロセッサは、第１の消費電力及び第２の消費電力についての関数に基づいてデータを割り当てるように構成される。
【００２６】
実施形態例では、プロセッサは、第２の消費電力に対する第１の消費電力の割合に基づいてデータを割り当てるように構成される。
【００２７】
実施形態例では、プロセッサは、第１の無線アクセスに対する第１のサポートデータ転送速度を決定し、第２の無線アクセスに対する第２のサポートデータ転送速度を決定するように構成され、プロセッサは、第１の消費電力及び第２の消費電力についての関数、並びに第１及び第２のサポートデータ転送速度に基づいてデータを割り当てるように構成される。
【００２８】
実施形態例では、送信機が、第１の無線アクセスに対する第１の送信データ転送速度及び第２の無線アクセスに対する第２の送信データ転送速度の少なくとも一方を調整するように構成され、上記の送信することは、調整された第１の送信データ転送速度及び第２の送信データ転送速度の少なくとも一方を用いてデータを送信することである。
【００２９】
実施形態例では、プロセッサは、第１及び第２のサポートデータ転送速度の合計が閾値を下回るかを決定するように構成され、送信機は、第１及び第２のサポートデータ転送速度の合計が閾値を下回る場合には第１のサポートデータ転送速度である第１の送信データ転送速度を用いて第１の無線アクセスに割り当てられたデータを送信し、第１及び第２のサポートデータ転送速度の合計が閾値を下回る場合には第２のサポートデータ転送速度である第２の送信データ転送速度を用いて第２の無線アクセスに割り当てられたデータを送信するように構成される。
【００３０】
実施形態例では、プロセッサは、関数の出力が閾値を超えるかを決定するように構成され、送信機は、関数の出力が閾値を超えているかに基づいてデータを送信するように構成される。
【００３１】
実施形態例では、プロセッサは、関数の出力が閾値を超える場合には第１の無線アクセスを無効にし、データをすべて第２の無線アクセスに割り当てるように構成される。
【００３２】
実施形態例では、送信機は、関数の出力が閾値を下回る場合には第１及び第２の無線アクセスを用いてデータを送信するように構成される。
【００３３】
少なくとも１つの実施形態例は、第１の無線アクセス及び第２の無線アクセスを少なくとも含む複数の無線アクセスを用いて送信を制御するように構成されたネットワーク要素を開示する。ネットワーク要素は信号をユーザ機器（ＵＥ）に送信するように構成された送信機を含み、ＵＥは第１及び第２の無線アクセスとの接続をそれぞれ確立するように構成され、信号は、ＵＥが第１の無線アクセスにおいて単位データを送信する第１の消費電力を決定し、第２の無線アクセスにおいてその単位データを送信する第２の消費電力を決定し、決定された第１及び第２の電力に基づいて第１及び第２の無線アクセスにデータを割り当て、その割当てに基づいて第１及び第２の無線アクセスの少なくとも一方を用いてデータを送信するように指示する。
【００３４】
少なくとも１つの実施形態例は、第１の無線アクセス及び第２の無線アクセスを少なくとも含む複数の無線アクセスを用いて送信を制御するように構成されたネットワーク要素を開示する。ネットワーク要素は信号をユーザ機器（ＵＥ）に送信するように構成された送信機を含み、ＵＥは第１及び第２の無線アクセスとの接続をそれぞれ確立するように構成され、信号によってＵＥが、第１の無線アクセスにおいて単位データを送信する第１の消費電力及び第２の無線アクセスにおいてその単位データを送信する第２の消費電力に基づいて、第１及び第２の無線アクセスにデータを割り当て、その割当てに基づいて第１及び第２の無線アクセスのうちの少なくとも一方を用いてデータを送信することが可能となる。
【００３５】
実施形態例は、添付図面と併せて以下の詳細な説明からより明確に理解される。図１−４は、ここで説明するように非限定的な実施形態例を示す。
【図面の簡単な説明】
【００３６】
【図１】図１は、実施形態例による無線通信システムを示す。
【図２】図２は、実施形態例により、ＵＥによって複数の無線アクセスの少なくとも１つを用いてデータを送信する方法を示す。
【図３】図３は、図１に示すユーザ機器の実施形態例を示す。
【図４】図４は、図１に示すネットワーク要素の実施形態例を示す。
【発明を実施するための形態】
【００３７】
種々の実施形態例を、いくつかの実施形態例を示す添付図面を参照してより完全にここで説明する。
【００３８】
したがって、実施形態例は種々の変形例及び代替形態が可能であるが、それらの実施形態は、例示として図示されここで詳細に記載される。ただし、実施形態例を開示する特定の形態に限定するものではなく、逆に、実施形態例は、特許請求の範囲内のすべての変形例、均等物及び代替例に及ぶことを理解すべきである。図の説明全体を通じて、同じ符号は同じ要素のことをいう。
【００３９】
第１、第２などの用語は、種々の要素を説明するのにここで使用されることがあり、これらの要素はこれらの用語によっては限定されるべきではないことが分かる。これらの用語は、ある要素と他の要素を区別するのに使用されるにすぎない。例えば、実施形態例の範囲から逸脱することなく、第１の要素は第２の要素と呼ばれてもよく、同様に、第２の要素は第１の要素と呼ばれてもよい。ここで使用される「及び／又は」の用語は、１以上の関連したリスト内項目のいずれか及びすべての組合せを含む。
【００４０】
ある要素が他の要素に「接続」又は「連結」されているという場合、それは他方の要素に直接的に接続若しくは連結され得るか、又は介在要素が存在してもよいことが分かる。それに対して、要素が他の要素に「直接接続」又は「直接連結」されているという場合、介在要素は存在しない。要素間の関係性を説明するのに用いられる他の単語は、（例えば、「間に」に対して「直接間に」、「隣接する」に対して「直接隣接する」など）同様の形式で解釈されるはずである。
【００４１】
ここで使用される専門用語は、特定の実施形態のみを説明する目的のものであり、実施形態例を限定するものではない。ここで用いられる単数形の「ａ」、「ａｎ」及び「ｔｈｅ」は、その文脈が明示的に断らない限り、複数形も含むものである。「備える」、「備えている」、「含む」及び／又は「含んでいる」の用語は、ここで用いられる場合、記述された構成、完全体、ステップ、動作、要素及び／又は構成要素の存在を指定するが、１以上の他の構成、完全体、ステップ、動作、要素、構成要素及び／若しくはそれらのグループの存在又は付加を除外しないことがさらに分かる。
【００４２】
ある代替実施例では、記載された機能／動作が、図で記載されたものとは異なる順序で行われる場合があることにも留意すべきである。例えば、連続して示す２つの図は、その機能性／動作性の関与に応じて、実際には実質上同時に実行されてもよいし、又は時として逆の順序で実行されてもよい。
【００４３】
他の方法で規定されない限り、ここで用いられる（技術的及び科学的用語を含む）すべての用語は、実施形態例が属する分野の当業者によって一般的に理解されている意味と同じである。用語、例えば、一般的に用いられる辞典に定義される用語は、関連技術を背景としてそれらの意味と同じ意味を有すると解釈されるべきであり、ここでそのように明示的に定義されない限り、理想的又は過度に形式的には解釈されないことがさらに分かる。
【００４４】
実施形態例及び対応する詳細説明の部分は、ソフトウェア、又はコンピュータメモリ内のデータビットにおける動作のアルゴリズム及び記号表記の用語で表わされる。これらの説明及び表記は、当業者がその作業の趣旨を他の当業者に効果的に伝達するものである。ここで用いられる用語として一般的に使用されるアルゴリズムは、所望の結果を導く自己整合的な一連のステップであることが分かる。このステップは、物理量の物理的操作を必要とするものである。通常、必ずしもではないが、これらの量は、記憶され、転送され、合成され、比較され及びその他操作され得る光学的、電気的又は磁気的信号の形態を採る。これらの信号をビット、値、要素、記号、文字、用語、数などとして言及するのは、一般的な使用から、原理上、時折都合がよいことが実証されている。
【００４５】
以下の説明では、特定のタスクを実施又は特定の抽象データタイプを実装するルーチン、プログラム、オブジェクト、構成要素、データ構造体などを含むプログラムモジュール又は機能的プロセスとして実施されることがあり、既存のネットワーク要素又は制御ノードにおいて既存のハードウェアを用いて実施されることがある、作用及び（例えば、フローチャート形式の）動作の記号表記を参照して図示する実施形態を説明する。そのような既存のハードウェアは、１以上の中央処理装置（ＣＰＵ）、デジタル信号プロセッサ（ＤＳＰ）、特定用途向け集積回路、フィールドプログラマブルゲートアレイ（ＦＰＧＡ）コンピュータなどを含み得る。
【００４６】
特に断らない限り、又は記載から明らかなように、「処理する」、「演算する」、「計算する」、「決定する」又は「表示する」などの用語は、コンピュータシステムのレジスタ及びメモリ内の物理的電子量として表されたデータを、コンピュータシステムのメモリ、レジスタ、又は他のそのような情報を記憶、送信若しくは表示する装置内の物理量として同様に表された他のデータに操作及び変換するコンピュータシステム又は同様の電子演算装置についての動作及び処理のことをいう。
【００４７】
ここで開示するように、「記憶媒体」、「記憶部」又は「コンピュータ可読記憶媒体」の用語は、情報を記憶するための読取り専用メモリ（ＲＯＭ）、ランダムアクセスメモリ（ＲＡＭ）、磁気ＲＡＭ、コアメモリ、磁気ディスク記憶媒体、光学記憶媒体、フラッシュメモリデバイス及び／又は他の有体機械可読媒体を含み、データを記憶するための１以上の装置を表すことができる。「コンピュータ可読媒体」の用語は、以下に限定されないが、可搬若しくは固定の記憶装置、光学記憶装置、並びに指示及び／若しくはデータを記憶、保有又は搬送可能な種々の他の媒体を含むことができる。
【００４８】
さらに、実施形態例は、ハードウェア、ソフトウェア、ファームウェア、ミドルウェア、マイクロコード、ハードウェア記述言語又はそれらいずれかの組合せによって実施され得る。ソフトウェア、ファームウェア、ミドルウェア又はマイクロコードにおいて実施される場合、必要なタスクを実行するプログラムコード又はコードセグメントは、コンピュータ可読記憶媒体などの機械又はコンピュータ可読媒体に記憶され得る。ソフトウェアにおいて実施される場合、単数又は複数のプロセッサが必要なタスクを実行する。
【００４９】
ここで使用される「ユーザ機器」又は「ＵＥ」の用語は、ユーザ機器、移動局、モバイルユーザ、アクセス端末、モバイル端末、ユーザ、サブスクライバ、無線端末、端末及び／又はリモート局と同義となり得るものであり、無線通信ネットワークにおける無線リソースのリモートユーザを説明することができる。したがって、ＵＥは、無線電話、無線搭載型ラップトップ、無線搭載型電気製品などであってもよい。
【００５０】
現行のネットワークアーキテクチャは、モバイル／ユーザ装置とアクセスポイント／セルサイトとを区別するものとみなすことができるが、以降で説明する実施形態例では、例えば、アドホック及び／又はメッシュネットワークアーキテクチャのように、その区別がそれ程明確でないアーキテクチャにも広く適用可能であってもよい。
【００５１】
無線アクセスは、モバイル装置から所望の通信に対応のノードへの経路を供給する。少なくともある実施形態例では、２つの無線アクセスが、同じアクセス技術を使用してもしなくてもよい。例えば、２つの無線アクセスは、双方ともＷｉｆｉであってもよいし、又は一方がＷｉｆｉであり他方が３ＧＰＰアクセスとなり得る。
【００５２】
少なくともある実施形態例は、複数のアクセスオプションを使用する場合に、ＵＥのバッテリ寿命を増加させる方法及びシステムを開示する。
【００５３】
ＭＰＴＣＰサブフローによるＴＣＰ輻輳制御／回避の使用は、２つのアクセスに対する装置によるバッテリ使用量を考慮しない。
【００５４】
さらに、３ＧＰＰアクセス選択制御は、Ｗｉｆｉと３ＧＰＰの間でパケット毎の多重化を可能とせず、バッテリ消費がフロー当たり又はサービス毎にアクセスオプションを選択するための基準として使用され得るメカニズムを指定しない。
【００５５】
ＭＰＴＣＰで確立する際、少なくともある実施形態例は、ＵＥが複数の同時接続を有する場合、パケットを伝送するアクセスを選択するための基準としてバッテリ消費を使用するメカニズムを提供する。さらに、少なくともある実施形態例は、バッテリ効率に基づいていつアクセスをドロップするかを決定するのに、ＵＥによって使用され得る基準を提供する。
【００５６】
図１は、実施形態例による通信システムを示す。
【００５７】
通信システム１００は、ユーザ機器（ＵＥ）１０５と通信するように構成された第１及び第２の無線アクセス１１０及び１２０を含む。第１及び第２の無線アクセス１１０及び１２０は、異なる無線アクセスに従う。
【００５８】
第１の無線アクセス１１０は、無線ローカルエリアネットワークであり、例えば、Ｗｉｆｉプロトコル、ＷｉＭａｘ、３ＧＰＰ、３ＧＰＰ２（ＣＤＭＡ）、Ｂｌｕｅｔｏｏｔｈ、５Ｇの近距離無線通信（ＮＦＣ）に従うことができる。ただし、第１の無線アクセス１１０は、それに限定されない。
【００５９】
第１の無線アクセス１１０は、アクセスポイント１１２を含む。アクセスポイント１１２は、ＷＬＡＮゲートウェイなどのゲートウェイ１１４と通信する。第１の無線アクセス１１０は、ゲートウェイ１１４を通じて種々のネットワーク要素に対して、インターネット、オペレータネットワーク又は第３者ネットワーク１３０への接続を提供するように構成され得る。種々の実施形態では、第１の無線アクセス１１０は、ワイドエリアネットワーク（ＷＡＮ）、又はパーソナルエリアネットワーク（ＰＡＮ）、ローカルエリアネットワーク（ＬＡＮ）、キャンパスエリアネットワーク（ＣＡＮ）、メトロポリタンエリアネットワーク（ＭＡＮ）などのような広いエリアに及ぶ他の類似のネットワークであってもよい。
【００６０】
アクセスポイント１１２及びゲートウェイ１１４は、１以上のプロセッサ及び共に動作する関連のメモリを含み、それら個々の機能性を実現することができる。
【００６１】
第２の無線アクセス１２０は、例えば、ロングタームエボリューション（ＬＴＥ）プロトコルに従うことができる。実施形態例はＬＴＥに限定されず、第２の無線アクセス１２０は５Ｇなどの他のタイプの３ＧＰＰネットワークであってもよいことが分かるはずである。
【００６２】
第２の無線アクセス１２０は、パケットコア１２４を通じてインターネット、オペレータネットワーク又は第３者ネットワーク１３０にアクセスするように構成された少なくとも１つのｅＮＢ１２２を含む。パケットコア１２４は、ゲートウェイ及びモビリティ管理エンティティ（ＭＭＥ）を含むことができる。実施形態例では、パケットコア１２４のゲートウェイがゲートウェイ１１４であってもよい。各ｅＮＢ１２２は、単一のセル又は複数のセルを含み得るサービスエリアを有することができる。さらに、ｅＮＢ１２２は、ＵＥ１０５と通信することができる。
【００６３】
ｅＮＢ１２２並びにパケットコア１２４のゲートウェイ及びＭＭＥは、１以上のプロセッサ及び共に動作する関連のメモリを含み、それら個々の機能性を実現することができる。
【００６４】
パケットコア１２４は、１以上のモビリティ管理エンティティ（ＭＭＥ）、ホームｅＮＢゲートウェイ、サービングゲートウェイ（Ｓ−ＧＷ）、パケットデータネットワークゲートウェイ（Ｐ−ＧＷ）、セキュリティゲートウェイ及び／又は１以上の動作運用管理（ＯＡＭ）ノード（図示せず）を含むことができる。図示の便宜上、パケットコア１２４は単一ノードとして図示されるが、パケットコア１２４は、独立したノード（例えば、制御プレーンに対するＭＭＥ及び他のベアラに対するＧＷ）として表されてもよいことが分かるはずである。
【００６５】
パケットコア１２４のＭＭＥは、Ｓ１インターフェースを介してｅＮＢ１２２と通信する。
【００６６】
第２の無線アクセス１２０は、パケットコア１２４を通じて種々のネットワーク要素に対するインターネット、オペレータネットワーク又は第３者ネットワーク１３０への接続を供給するように構成され得る。アクセスポイント１１２、ゲートウェイ１１４、ｅＮＢ１２２のいずれかをネットワーク要素ということもある。
【００６７】
第１及び第２の無線アクセス１１０及び１２０は、インターネット、オペレータネットワーク又は第３者ネットワーク１３０を介してアプリケーションサーバ１３５に接続される。アプリケーションサーバ１３５は、ＭＰＴＣＰと互換性を有し、プロセッサ、メモリ及びソフトウェアアプリケーションを含む任意のタイプのサーバであってもよい。図１には１つのアプリケーションサーバ１３５のみを示すが、実施形態例は、第１及び第２の無線アクセス１１０及び１２０に接続された任意の個数のアプリケーションサーバを含むことができる。さらに、アプリケーションサーバ１３５は、コンテンツ配信ネットワークからの配信機器、又はネットワークにおいてＭＰＴＣＰプロトコルを終端するＭＰＴＣＰプロキシサーバであってもよい。
【００６８】
システム１００はまた、第１及び第２の無線アクセス１１０及び１２０から、例えば、アプリケーションプログラミングインターフェース（ＡＰＩ）及びアプリケーション公開フレームワーク（ＡＥＳ）などのインターネットによるアプリケーションサーバ１３５への（又はその逆への）、データ転送として周知の他の構成要素も含むことができる。アプリケーションサーバ１３５は、ＡＥＳを通じて公開されたＨＴＴＰ又はＲＥＳＴなどのインターネットによるシステムにおいてデータを転送するのに用いられるいずれかのタイプの標準的応答−要求プロトコルに従って、第１及び第２の無線アクセス１１０及び１２０に情報及び／又は応答メッセージについての要求を送信する。
【００６９】
第１及び第２の無線アクセス１１０及び１２０は、ここに示す構成に限定されないことに留意すべきである。これらの構成は、実施形態例の説明に対して示される。例えば、第２のアクセス１２０は、ホームサブスクライバサーバ（ＨＳＳ）及びオフライン充電システム（ＯＦＣＳ）などと共通の構成を含んでいてもよいことが分かるはずである。
【００７０】
ＵＥ１０５は、関連するドライバとの物理的又は論理的インターフェースを介して第１のアクセス１１０及び第２のアクセス１２０の少なくとも一方と無線通信状態となり得る。ＵＥ１０５は、ＭＰＴＣＰ可能なＵＥである。そのため、ＵＥ１０５は、第１及び第２のアクセス１１０及び１２０の双方と同時に接続され得る。ＵＥ１０５には、第１及び第２のアクセス１１０及び１２０の各々に対して個別のＩＰアドレス又は異なるポートが割り当てられ得る。ＵＥが異なるポートを使用するものの単一のＩＰアドレスを用いる例では、ゲートウェイ１１４はパケットコア１２４に接続し、共通のゲートウェイ（例えば、ゲートウェイ１１４）がある。ＵＥは、通信経路を介して第１のアクセス１１０及び第２のアクセス１２０にパケットを伝送することができる。
【００７１】
ＵＥ１０５は、電源（例えば、バッテリ）及び送信機を含み、少なくとも第１及び第２の無線アクセス１１０及び１２０との接続をそれぞれ確立し、第１の無線アクセスを用いて単位データを送信する第１の消費電力を電源から決定し、第２の無線アクセスを用いてその単位データを送信する第２の消費電力を電源から決定し、決定された第１及び第２の消費電力に基づいて第１及び第２の無線アクセスにデータを割り当てるように構成される。ＵＥ１０５は、その割当てに基づいて第１及び第２の無線アクセスの少なくとも一方を用いてデータを送信するように構成される。
【００７２】
図２は、実施形態例による、ＵＥ１０５による複数の無線アクセスの少なくとも１つを用いてデータを送信する方法を示す。図２の方法は、ＵＥ１０５によって実行され得る。
【００７３】
Ｓ２０５では、ＵＥ１０５は、第１及び第２のアクセス１１０及び１２０との通信経路を確立する。通信経路は、第１及び第２の無線アクセスに対するＴＣＰサブフローをそれぞれ含むことができる。第１及び第２のアクセス１１０及び１２０との通信を同時に確立するため、ＵＥ１０５は、異なるＩＰアドレスを取得し、又は第１及び第２のアクセス１１０及び１２０に対応付けられた異なるポート番号を用いる。
【００７４】
Ｓ２１０において、ＵＥ１０５は、第１の無線アクセス１１０を用いて単位データを送信する第１の消費電力Ｐｂ−Ｗｉｆｉを決定する。Ｓ２１５において、ＵＥ１０５は、第２の無線アクセス１２０を用いて単位データを送信する第２の消費電力Ｐｂ−ＬＴＥを決定する。第１及び第２の消費電力Ｐｂ−Ｗｉｆｉ及びＰｂ−ＬＴＥは、電源（例えば、バッテリ）によって消費される電力であり、送信電力とは異なる。
【００７５】
単位データはビットであればよい。ただし、実施形態例はそれに限定されない。
【００７６】
ＵＥ１０５は、前の送信間隔中に消費される電力の平均測定値に基づいて、例えば、ＬＴＥ及びＷｉｆｉの送受信機によって使用される無線周波数（ＲＦ）送信電力に基づいて、又は送信間隔中にバッテリで利用された電力をモニタすることによって、第１及び第２の消費電力Ｐｂ−Ｗｉｆｉ及びＰｂ−ＬＴＥを決定することができる。さらに、履歴情報、例えば、過去の同様のＲＦ条件及びネットワーク負荷の下で消費されたバッテリ電力を示す情報は、０以上の測定されたバッテリとＲＦ送信メトリックとの組み合わせで用いられ、Ｐｂ−Ｗｉｆｉ及びＰｂ−ＬＴＥを計算することができる。さらに、第１の消費電力は、Ｗｉｆｉ無線を「オン」に維持することに関連付けられたオーバーヘッドを含むことができる。
【００７７】
記載から分かるように、第１及び第２の消費電力Ｐｂ−Ｗｉｆｉ及びＰｂ−ＬＴＥは、アクセスポイント１１２及びｅＮＢ１２２に対するＵＥ１０５の近接状態、並びにアクセス１１０及び１２０における輻輳レベルに従って増加／減少する。
【００７８】
Ｓ２１５において、ＵＥ１０５は、決定された第１及び第２の消費電力Ｐｂ−Ｗｉｆｉ及びＰｂ−ＬＴＥに基づいて、送信されるデータを割り当てる。より具体的には、ＵＥ１０５は、ＭＰＴＣＰ  ＲＦＣで説明されるようにＴＣＰ輻輳制御／回避に基づいて、第１の無線アクセス１１０に対する第１のサポートデータ転送速度及び第２の無線アクセス１２０に対する第２のサポートデータ転送速度を決定する。ＵＥ１０５は、ＴＣＰ輻輳制御／回避に基づいて計算された転送速度とともに、第１及び第２の消費電力Ｐｂ−Ｗｉｆｉ及びＰｂ−ＬＴＥを用いて、重み付けされた第１のサポートデータ転送速度ＲＷｉｆｉ及び重み付けされた第２のサポートデータ転送速度ＲＬＴＥを生成する。
【００７９】
例えば、ＴＣＰ輻輳制御が、第１及び第２のアクセス１１０及び１２０は各々データ転送速度Ｒ１及びＲ２をそれぞれサポートできるが、第１の消費電力Ｐｂ−Ｗｉｆｉが第２の消費電力Ｐｂ−ＬＴＥの２倍であることを示す場合、ＵＥ１０５は、重み付けされた第１のサポートデータ転送速度ＲＷｉｆｉを
ＲＷｉｆｉ＝ｆ１（Ｒ１、Ｒ２、Ｐｂ−ＬＴＥ、Ｐｂ−Ｗｉｆｉ）
として、また重み付けされた第２のサポートデータ転送速度ＲＬＴＥを
ＲＬＴＥ＝ｆ２（Ｒ１、Ｒ２、Ｐｂ−ＬＴＥ、Ｐｂ−Ｗｉｆｉ）
として生成し、ここで関数ｆ１（）及びｆ２（）は、ＲＷｉｆｉ＜ＲＬＴＥとなるように、第１の消費電力Ｐｂ−Ｗｉｆｉと第２の消費電力Ｐｂ−ＬＴＥとの差を含む。
【００８０】
実施形態例では、ＵＥ１０５は、全データ転送速度のＲＷｉｆｉ＋ＲＬＴＥが、アプリケーションの要件から決定される閾値Ｔ１より大きい場合、
ＲＷｉｆｉ＝Ｒ１＊Ｐｂ−ＬＴＥ／Ｐｂ−Ｗｉｆｉ＝１／２Ｒ１
であると決定され、ここで第１の消費電力Ｐｂ−Ｗｉｆｉは第２の消費電力Ｐｂ−ＬＴＥの２倍である。
【００８１】
例えば、ＨＴＴＰ適応ストリーミング（ＨＡＳ）ビデオアプリケーションは、最低ビデオコーデック転送速度に相当する２００ｋｂｐｓの最小データ転送速度であるＴ１＝２００ｋｂｐｓを必要とし得る。この場合、Ｒ１＝Ｒ２であれば、Ｓ２２５では、その後第１のアクセス１１０においてＵＥ１０５によって伝送されるすべてのパケットに対して、第２のアクセス１２０においてＵＥ１０５によって２つが伝送されることになる。
【００８２】
全データ転送速度のＲＷｉｆｉ＋ＲＬＴＥが閾値Ｔ１以下であるとＵＥ１０５が決定する場合、ＵＥ１０５は、ＴＣＰ輻輳制御に基づいて、第１の無線アクセス１１０に対して第１のサポートデータ転送速度及び第２の無線アクセス１２０に対して第２のサポートデータ転送速度を使用する。
【００８３】
ＵＥ１０５はまた、第２の消費電力Ｐｂ−ＬＴＥに対する第１の消費電力Ｐｂ−Ｗｉｆｉの割合に対して閾値Ｔ２も使用することができる。例えば、その割合が閾値Ｔ２を超える場合、ＵＥ１０５は、Ｗｉｆｉアクセスにおける電力効率が改善する時間までＬＴＥアクセスのみを用いて、第１のアクセス１１０との通信を無効にすることができる。
【００８４】
決定された第１及び第２の消費電力を使用することによって、バッテリの使用電力は、スループットのみに基づくスケージュールメカニズムを有するのではなく、アクセスを使用することに対する基準として付加される。
【００８５】
ｅＮＢなどのネットワーク要素は、ＵＥ１０５が図２に示す方法を実行することを可能／許可する信号をＵＥ１０５に送信することができることが分かるはずである。
【００８６】
図３は、ＵＥ１０５の実施形態例を示す。ＵＥ１０５は、図３に示さない構成を含むことがあり、図示される構成に限定されるべきではないことも分かるはずである。
【００８７】
ＵＥ１０５は、チャネルの条件、速度及び位置情報を決定するように構成される。
【００８８】
ＵＥ１０５は、例えば、送信部３１２、ＵＥ受信部３２０、メモリ部３３０、処理部３４０、電源３６０及びデータバス３５０を含むことができる。電源３６０は、バッテリであってもよく、送信部３１２、受信部３２０、メモリ部３３０、処理部３４０及びデータバス３５０に電力を供給する。
【００８９】
送信部３１２、受信部３２０、メモリ部３３０及び処理部３４０は、データバス３５０を用いて相互にデータを送信及び／又は受信することができる。送信部３１２は、アップリンク（リバースリンク）の、例えば、データ信号、制御信号及び信号強度／品質情報を含む無線信号を、１以上の無線接続を介して他の無線装置（例えば、基地局）に送信するためのハードウェア及び必要なすべてのソフトウェアを含む装置である。送信部３１２は、少なくとも第１及び第２の無線アクセスに信号を送信するための処理経路を含む。
【００９０】
受信部３２０は、ダウンリンク（フォワードリンク）チャネルの、例えば、データ信号、制御信号及び信号強度／品質情報を含む無線信号を、１以上の無線接続を介して他の無線装置（例えば、基地局）から受信するためのハードウェア及び必要なすべてのソフトウェアを含む装置である。受信部３２０は、少なくとも第１及び第２の無線アクセスから信号を受信するための処理経路を含む。
【００９１】
送信部３１２及び受信ユニット３２０は、個別のユニットとして示されているが、単一ユニットの送受信機として構成されてもよいことが分かるはずである。
【００９２】
メモリ部３３０は、磁気記憶装置、フラッシュ記憶装置などを含み、データを記憶できる任意の記憶媒体であればよい。
【００９３】
処理部３４０は、例えば、入力データに基づいて特定の動作を実行するように構成されたマイクロプロセッサを含みデータを処理可能な、又はコンピュータ可読コードに含まれた命令を実行可能な任意の装置であればよい。例えば、処理部３４０は、少なくとも第１及び第２の無線アクセスとの接続をそれぞれ確立し、第１の無線アクセスを用いて単位データを送信する第１の消費電力を電源から決定し、第２の無線アクセスを用いてその単位データを送信する第２の消費電力を電源から決定し、決定された第１及び第２の消費電力に基づいて第１及び第２の無線アクセスにデータを割り当てるように構成され、送信機は、その割当てに基づいて第１及び第２の無線アクセスの少なくとも一方を用いてデータを送信するように構成される。
【００９４】
図４は、ｅＮＢ１２２などのネットワーク要素の実施形態例を示す。ｅＮＢ１２２が、図４には図示されない構成を含むことがあり、図示される構成に限定されるべきではないことも分かるはずである。
【００９５】
さらに図４を参照すると、ｅＮＢ１２２は、例えば、データバス４５９、送信部４５２、受信部４５４、メモリ部４５６及び処理部４５８を含むことができる。
【００９６】
送信部４５２、受信部４５４、メモリ部４５６及び処理部４５８は、データバス４５９を用いて相互にデータを送信及び／又は受信することができる。送信部４５２は、例えば、データ信号、制御信号及び信号強度／品質情報を含む無線信号を、１以上の無線接続を介して無線通信ネットワーク１００における他のネットワーク要素に送信するためのハードウェア及び必要なすべてのソフトウェアを含む装置である。
【００９７】
送信部４５２は信号をユーザ機器（ＵＥ）に送信するように構成され、ＵＥは第１及び第２の無線アクセスとの接続をそれぞれ確立するように構成されており、信号は、ＵＥが、第１の無線アクセスにおいて単位データを送信する第１の消費電力を決定し、第２の無線アクセスにおいてその単位データを送信する第２の消費電力を決定し、決定された第１及び第２の電力に基づいて、第１及び第２の無線アクセスにデータを割り当て、その割当てに基づいて第１及び第２の無線アクセスのうちの少なくとも一方を用いてデータを送信するように指示する。
【００９８】
受信部４５４は、例えば、データ信号、制御信号及び信号強度／品質情報を含む無線信号を、ネットワーク１００における他のネットワーク要素への１以上の無線接続を介して受信するためのハードウェア及び必要なすべてのソフトウェアを含む装置である。
【００９９】
個別のユニットとして示しているが、送信部４５２及び受信部４５４は、単一ユニットの送受信機として構成され得ることが分かるはずである。
【０１００】
メモリ部４５６は、磁気記憶装置、フラッシュ記憶装置などを含み、データを記憶できる任意の装置であればよい。メモリ部４５６は、プレスケジューリングをサポートするためにデータと制御信号をバッファ及び記憶し、そのスケジュールデータを送信及び再送信するのに使用される。
【０１０１】
処理部４５８は、例えば、入力データに基づいて特定の動作を実行するように構成されたマイクロプロセッサを含みデータを処理可能な、又はコンピュータ可読コードに含まれた指示を実行可能な任意の装置であればよい。
【０１０２】
このように実施形態例を説明しているが、同様の形態が多くの方法で変形し得ることは明らかである。そのような変形例は、実施形態例の趣旨及び範囲から逸脱するとはみなされず、当業者にとって明らかであるそのようなすべての変形例は特許請求の範囲内に含まれることが意図されている。
【図１】
2017527164.tif 000003
【図２】
2017527164.tif 000004
【図３】
2017527164.tif 000005
【図４】
2017527164.tif 000006
【国際調査報告】
2017527164.tif 000007
2017527164.tif 000008